(57)【要約】【課題】亜塩素酸塩溶液の安定化方法、安定化亜塩素酸塩溶液、安定化亜塩素酸塩溶液を用いた二酸化塩素の発生方法、発生した二酸化塩素の除去方法を提供する。【解決手段】本亜塩素酸塩溶液の安定化方法は、亜塩素酸塩溶液を準備する工程Ｓ１と、亜塩素酸塩溶液に還元剤を添加することにより亜塩素酸塩溶液を安定化する工程Ｓ２と、を備える。本安定化亜塩素酸塩溶液は、亜塩素酸塩と、還元剤と、を含む。本二酸化塩素の発生方法は、安定化亜塩素酸塩溶液を準備する工程と、安定化亜塩素酸塩溶液に酸を添加することにより二酸化塩素を発生させる工程Ｓ３と、を備える。本二酸化塩素の除去方法は、発生させた二酸化塩素に還元剤を接触させることにより二酸化塩素を除去する工程Ｓ４を備える。【選択図】図１
2010077004.tif 000002
【特許請求の範囲】
【請求項１】
亜塩素酸塩溶液を準備する工程と、前記亜塩素酸塩溶液に還元剤を添加することにより前記亜塩素酸塩溶液を安定化する工程と、を備える亜塩素酸塩溶液の安定化方法。
【請求項２】
前記還元剤は、エリソルビン酸、アスコルビン酸およびそれらの塩、過酸化水素ならびにエチレンジアミン四酢酸からなる群から選ばれる１種類を含む請求項１に記載の亜塩素酸塩溶液の安定化方法。
【請求項３】
前記亜塩素酸塩溶液中の亜塩素酸塩に対する前記還元剤の質量比は１×１０-5以上１×１０-2以下である請求項１または請求項２に記載の亜塩素酸塩溶液の安定化方法。
【請求項４】
亜塩素酸塩と、還元剤と、を含む安定化亜塩素酸塩溶液。
【請求項５】
前記還元剤は、エリソルビン酸、アスコルビン酸およびそれらの塩、過酸化水素ならびにエチレンジアミン四酢酸からなる群から選ばれる１種類を含む請求項４に記載の安定化亜塩素酸塩溶液。
【請求項６】
前記亜塩素酸塩溶液中の亜塩素酸塩に対する前記還元剤の質量比は１×１０-5以上１×１０-2以下である請求項４または請求項５に記載の安定化亜塩素酸塩溶液。
【請求項７】
請求項４から請求項６までのいずれかの前記安定化亜塩素酸塩溶液を準備する工程と、前記安定化亜塩素酸塩溶液に酸を添加することにより二酸化塩素を発生させる工程と、を備える二酸化塩素の発生方法。
【請求項８】
請求項７の発生方法により発生させた前記二酸化塩素に還元剤を接触させることにより前記二酸化塩素を除去する工程を備える二酸化塩素の除去方法。
【請求項９】
前記還元剤は、エリソルビン酸、アスコルビン酸およびそれらの塩、過酸化水素ならびにエチレンジアミン四酢酸からなる群から選ばれる１種類を含む請求項８に記載の二酸化塩素の除去方法。
【発明の詳細な説明】
【技術分野】
【０００１】
本発明は、二酸化塩素の発生に用いられる亜塩素塩溶液の安定化方法および安定化亜塩素酸塩溶液に関する。また、本発明は、安定化亜塩素酸塩溶液を用いて二酸化塩素を発生させる方法、および発生させた二酸化塩素を除去する方法に関する。
【背景技術】
【０００２】
二酸化塩素（ＣｌＯ2）は、強い酸化力を有するため、殺菌剤、消臭剤、漂白剤として好適に用いられる。かかる二酸化塩素は、標準環境温度（２５℃）および標準環境圧力（１ｂａｒ（１００ｋＰａ））下において気体であるため、使用する場所で二酸化塩素の気体を発生させながら使用する場合が多い。かかる二酸化塩素を発生させる方法としては、亜塩素酸塩溶液に酸溶液を添加して亜塩素酸塩と酸とを反応させる２液法、亜塩素酸塩溶液に塩素ガスを添加して亜塩素酸塩と塩素とを反応させる塩素ガス法、亜塩素酸塩溶液に次亜塩素酸塩溶液および酸溶液を添加して亜塩素酸塩と次亜塩素酸塩と酸とを反応させる３液法などがある（特開２００６−２９０７１７号公報（特許文献１）を参照）。
【０００３】
２液法においては、次式（１）で表される酸として硫酸を用いた方法
５ＮａＣｌＯ2  ＋  ２Ｈ2ＳＯ4  →  ４ＣｌＯ2  ＋  ２Ｎａ2ＳＯ4  ＋  ＮａＣｌ  ＋  ２Ｈ2Ｏ  ・・・（１）
次式（２）で表される酸として塩酸を用いた方法
５ＮａＣｌＯ2  ＋  ４ＨＣｌ  →  ４ＣｌＯ2  ＋  ５ＮａＣｌ  ＋  ２Ｈ2Ｏ  ・・・（２）
次式（３）で表される酸としてクエン酸を用いた方法
１５ＮａＣｌＯ2  ＋  ４ＨＯ2ＣＣ(ＯＨ)(ＣＨ2ＣＯ2Ｈ)2  →  １２ＣｌＯ2  ＋  ４Ｃ6Ｈ5Ｎａ3Ｏ7  ＋  ３ＮａＣｌ  ＋  ６Ｈ2Ｏ  ・・・（３）
などがある。
【０００４】
また、塩素ガス法は、たとえば、次式（４）
２ＮａＣｌＯ2  ＋  Ｃｌ2  →  ２ＣｌＯ2  ＋  ２ＮａＣｌ  ・・・（４）
で表される。
【０００５】
また、３液法は、たとえば、次式（５）
２ＮａＣｌＯ2  ＋  ＮａＣｌＯ  ＋  ２ＨＣｌ  →  ２ＣｌＯ2  ＋  ＮａＣｌ  ＋  Ｈ2Ｏ  ・・・（５）
で表される。
【０００６】
上記式（１）、（２）および（５）の方法は、温泉または銭湯のお湯に対して、発生する二酸化塩素の濃度が０．４ｍｇ／ｌ（ｌはリットルの単位を示す。以下同じ。）となるように適用されている。
【０００７】
また、水道法において上水に対する添加剤として二酸化塩素が認可されており、それらの濃度は二酸化塩素が０．６ｍｇ／ｌ以下および亜塩素酸イオン（ＣｌＯ2-）が０．６ｍｇ／ｌと規定されている（水道施設の技術的基準を定める省令の一部を改正する省令（平成１６年厚生労働省令第５号）および資機材等の材質に関する試験の一部改正する件（平成１６年厚生労働省告示第１４号））。かかる観点から、上水に対しては、亜塩素酸イオンの残存量が多い上式（３）の方法は使用ができず、亜塩素酸イオンの残存量が少ない上記式（１）、（２）および（５）の方法が使用される。これらの添加剤は、上水中の鉄および／またはマンガンの除去処理に用いられている。
【０００８】
また、亜塩素酸ナトリウムによる食品の殺菌漂白が認可されているが、この処理方法は、食品添加物公定書によれば、亜塩素酸ナトリウムに酸を添加して二酸化塩素を遊離させて使用すると定義されている。また、最終製品の完成前には、亜塩素酸ナトリウムの分解および二酸化塩素の除去が義務付けられている。二酸化塩素は、生食野菜の殺菌、もも、ふき、ぶどう、ならびにさくらんぼの漂白および殺菌（菓子の製造に用いるものに限る）、卵殻の殺菌（卵殻の部分に限る）、柑橘系の果物の漂白および殺菌などにも認可されている。これらの場合、式（１）〜（３）および（５）の方法が用いられるが、最終製品に亜塩素酸イオンが残らないようにする必要がある。
【０００９】
なお、上式（４）の方法は、高圧ガス取締法による規制があり、また塩素ガスの毒性が高いことなどから、我が国では使用されていない。
【００１０】
上記のようにして発生する二酸化塩素は、水溶液中において、ｐＨが９以下のアルカリ性領域および酸性領域でも殺菌力が変わらず、塩素の２．６倍の有効塩素量を有する強力な酸化剤である。なお、二酸化塩素の殺菌作用および消臭作用は、次式（６）
ＣｌＯ2  ＋  ｅ-  →  Ｃｌ-  ＋  ２Ｏ・  ・・・（６）
により生成する原子状（ラジカル）酸素（Ｏ・）に基づくものと考えられる。
【００１１】
近年、シックハウス症候群、化学物質過敏症などの原因となる室内の有害化学物質、病院内感染、流行性伝染病などの原因となる室内の病原体などの浄化が問題となっている。かかる有害物質としては、ホルムアルデヒド、アセトン，ｎ−ヘキサン、ベンゼン、トルエン、キシレン、１，２，４−トリメチルベンゼン、パラジクロルベンゼン、ナフタレン、アミン類、タバコの煙などが挙げられる。また、かかる病原体としては、ＭＲＳＡ（メチシリン耐性黄色ブドウ球菌）、Ｈ５Ｎ１型鳥インフルエンザウイルスなどが挙げられる。
【００１２】
上記の有害物質を分解除去し、また上記の病原体を殺菌するための方法としては、一般家庭、病院などの室内において、使用の際に必要に応じて集中的に二酸化塩素を発生させて室内に放出する方法が好ましい。放出された二酸化塩素は、気体であるため、室内の隅々まで拡散することにより、室内の有害物質を分解除去しまた室内の病原体を殺菌することができる。
【特許文献１】特開２００６−２９０７１７号公報
【発明の開示】
【発明が解決しようとする課題】
【００１３】
上記のように、二酸化塩素は、たとえば２液法においては、亜塩素酸塩と酸との反応により発生する。二酸化塩素の発生において、亜塩素酸塩と酸との反応性を高めるため、亜塩素酸塩は亜塩素酸塩溶液（特に亜塩素酸塩水溶液）の形態で用いられる。かかる亜塩素酸塩水溶液（たとえば亜塩素酸ナトリウム水溶液）は、水溶液中において、光および／または温度の変化などにより、二酸化塩素がガス状となって遊離する。このことによって、プラスチック容器のパッキン、キャップなどを酸化し、二酸化塩素が消費される。このため、水溶液中の亜塩素酸塩の濃度が低減し、酸と反応させたときに発生する二酸化塩素の量が低減する。また、この遊離した二酸化塩素が、亜塩素酸塩水溶液を収容するプラスチック製の容器および蓋ならびにプラスチック製またはゴム製のパッキンを腐食して、容器、蓋またはパッキンの破損または液もれの原因となるとともに、亜塩素酸塩溶液調製後酸と反応させて二酸化塩素を発生させることのできる期間（可使用期間ともいう、以下同じ。）が短くなる原因となっていた。
【００１４】
上記問題を解決するため、亜塩素酸塩水溶液のｐＨを８〜９の中性からアルカリ性の領域に調整して、二酸化塩素の遊離を低減する方法が採用されている。たとえば、通常製造される２５質量％亜塩素酸ナトリウム水溶液はｐＨが１０〜１２に調整されている。特に海外に輸出または海外から輸入される２５質量％亜塩素酸ナトリウム水溶液は、輸出入における亜塩素酸ナトリウムの分解および二酸化塩素の遊離を抑制するために、ｐＨが１２付近に調整されているものが多い。ここで、亜塩素酸ナトリウム水溶液は、２５質量％台を超えると毒劇物となるため、亜塩素酸ナトリウムの分解を考慮して、２５．２〜２５．５質量％の濃度に製造されることが多い。しかし、かかる方法をおいても、水溶液中での二酸化塩素の遊離を抑制することは困難であり、容器、蓋またはパッキンの破損または液もれを抑制するのは困難であった。
【００１５】
本発明は、亜塩素酸塩溶液における二酸化塩素の遊離を抑制することにより、亜塩素酸塩溶液中の亜塩素酸塩の濃度の低減を抑制するとともに、亜塩素酸塩溶液の保存中の容器、蓋またはパッキンの破損または液もれを抑制するために、亜塩素酸塩溶液の安定化方法および安定化亜塩素酸塩溶液を提供することを目的とする。また、本発明は、安定化亜塩素酸塩溶液を用いた二酸化塩素の発生方法、発生した二酸化塩素の除去方法を提供することをも目的とする。
【課題を解決するための手段】
【００１６】
本発明は、亜塩素酸塩溶液を準備する工程と、亜塩素酸塩溶液に還元剤を添加することにより亜塩素酸塩溶液を安定化する工程と、を備える亜塩素酸塩溶液の安定化方法である。ここで、還元剤は、エリソルビン酸、アスコルビン酸およびそれらの塩、過酸化水素ならびにエチレンジアミン四酢酸からなる群から選ばれる１種類を含むことができる。また、亜塩素酸塩溶液中の亜塩素酸塩に対する還元剤の質量比は１×１０-5以上１×１０-2以下とすることができる。
【００１７】
また、本発明は、亜塩素酸塩と、還元剤と、を含む安定化亜塩素酸塩溶液である。ここで、還元剤は、エリソルビン酸、アスコルビン酸およびそれらの塩、過酸化水素ならびにエチレンジアミン四酢酸からなる群から選ばれる１種類を含むことができる。また、亜塩素酸塩溶液中の亜塩素イオンに対する前記還元剤の質量比は１×１０-5以上１×１０-2以下とすることができる。
【００１８】
また、本発明は、上記のいずれかの安定化亜塩素酸塩溶液を準備する工程と、安定化亜塩素酸塩溶液に酸を添加することにより二酸化塩素を発生させる工程と、を備える二酸化塩素の発生方法である。
【００１９】
また、本発明は、上記の発生方法により発生させた二酸化塩素に還元剤を接触させることにより二酸化塩素を除去する工程を備える二酸化塩素の除去方法である。ここで、還元剤は、エリソルビン酸、アスコルビン酸およびそれらの塩、過酸化水素ならびにエチレンジアミン四酢酸からなる群から選ばれる１種類を含むことができる。
【発明の効果】
【００２０】
本発明によれば、亜塩素酸塩溶液の安定化方法および安定化亜塩素酸塩溶液を提供することにより、亜塩素酸塩溶液における二酸化塩素の遊離を抑制して、亜塩素酸塩の濃度の低減を抑制するとともに、亜塩素酸塩溶液が保存されている容器、蓋またはパッキンの破損または液もれを抑制ことができる。また、安定化亜塩素酸塩溶液を用いて効率的に二酸化塩素を発生させ、発生した二酸化塩素を効率的に除去することができる。
【発明を実施するための最良の形態】
【００２１】
（実施形態１）
図１を参照して、本発明にかかる亜塩素酸塩溶液の安定化方法の一実施形態は、亜塩素酸塩溶液を準備する工程Ｓ１と、亜塩素酸塩溶液に還元剤を添加することにより亜塩素酸塩溶液を安定化する工程Ｓ２と、を備える。
【００２２】
次式（７）に示すように、
ＮａＣｌＯ2  →  ＣｌＯ2-  ＋  Ｎａ+  ・・・（７）
亜塩素酸塩溶液（たとえばＮａＣｌＯ2水溶液）中で、亜塩素酸塩（ＮａＣｌＯ2）は、亜塩素酸イオン（ＣｌＯ2-）および対イオン（Ｎａ+）に解離している。また、次式（８）に示すように、
５Ｎａ+  ＋  ５ＣｌＯ2-  ＋  ４ＨＣｌ  →  ４ＣｌＯ2  ＋  ５ＮａＣｌ  ＋  ２Ｈ2Ｏ  ・・・（８）
亜塩素酸塩溶液（ＮａＣｌＯ2水溶液）に酸（たとえばＨＣｌ）を添加することにより、亜塩素酸イオン（ＣｌＯ2-）が酸化（すなわち化学種の酸化数が増大）されてガス状の二酸化塩素（ＣｌＯ2）が解離する。これに対して、次式（９）に示すように、
２ＣｌＯ2  ＋  Ｈ2Ｏ2  ＋  ２ＮａＯＨ  →  ２ＮａＣｌＯ2  ＋  ２Ｈ2Ｏ  ＋  Ｏ2  ・・・（９）
亜塩素酸塩溶液（ＮａＣｌＯ2水溶液）中に遊離したガス状の二酸化塩素（ＣｌＯ2）は、還元剤（たとえばＨ2Ｏ2）により、亜塩素酸イオン（ＣｌＯ2-）に還元（すなわち化学種の酸化数が減少）される。
【００２３】
ここで、亜塩素酸塩溶液中の亜塩素酸塩の濃度は、ヨウ化カリウムおよびチオ硫酸ナトリウムを用いた滴定分析法、ＤＰＤ（Ｎ，Ｎ−ジエチル−ｐ−フェニレンジアミン）吸光光度法（高濃度の亜塩素酸塩の分析）、イオンクロマトグラフ法、電流法（低濃度の亜塩素酸塩の分析）により測定できる。
【００２４】
亜塩素酸塩水溶液においては、亜塩素酸塩は亜塩素酸イオンと対イオンとに解離しているため、式（１０）における亜塩素酸塩（たとえばＮａＣｌＯ2）の濃度は、亜塩素酸イオン（ＣｌＯ2-）の濃度に相当する。
【００２５】
なお、亜塩素酸塩溶液から遊離する二酸化塩素の量は、上記のヨウ化カリウムおよびチオ硫酸ナトリウムを用いた滴定分析法、イオンクロマトグラフィー法などにより測定できる。
【００２６】
本実施形態の亜塩素酸塩溶液の安定化方法は、まず亜塩素酸塩溶液を準備する工程Ｓ１を備える。亜塩素酸塩溶液の溶媒としては、安全性が高い観点から、一般的に水が用いられる。亜塩素酸塩溶液に溶質として用いられる亜塩素酸塩は、特に制限はないが、入手が容易な観点から、亜塩素酸ナトリウムが好ましい。また、亜塩素酸塩溶液中の亜塩素酸塩の濃度は、特に制限はないが、０．１質量％以上２６質量％未満が好ましく、１質量％以上２６質量％未満がより好ましい。亜塩素酸塩の濃度が０．１質量％未満であると発生させることができる二酸化塩素の量が少なくなり、２６質量％以上であると毒劇物に該当するため取扱いにおいて厳しい法規制の対象となる。
【００２７】
本実施形態の亜塩素酸塩溶液の安定化方法は、次いで亜塩素酸塩溶液に還元剤を添加することにより亜塩素酸塩溶液を安定化する工程Ｓ２を備える。亜塩素酸塩溶液中に遊離した二酸化塩素（ＣｌＯ2）が還元剤により亜塩素酸イオン（ＣｌＯ2-）に還元されるため、亜塩素酸塩溶液が安定化する。
【００２８】
ここで、還元剤は、特に制限はないが、還元力が高く、また、酸と反応させて二酸化塩素を発生させる際に毒性の高いガスを放出しない観点から、エリソルビン酸、アスコルビン酸およびそれらの塩、過酸化水素ならびにエチレンジアミン四酢酸（ＥＤＴＡ）からなる群から選ばれる１種類を含むことが好ましく、エリソルビン酸、アスコルビン酸およびそれらの塩、過酸化水素ならびにエチレンジアミン四酢酸からなる群から選ばれる１種類以上であることがより好ましい。
【００２９】
たとえば、亜硫酸ナトリウムおよびチオ硫酸ナトリウムは、亜塩素酸塩溶液に酸を添加して二酸化塩素を発生させる際に、ｐＨ４〜５において硫化水素ガスが発生し、ｐＨ２〜３において亜硫酸ガスが発生するため、還元剤としては好ましくない。なお、塩酸ヒドロキシルアミンなどの酸性還元剤は、亜塩素酸塩溶液に添加すると溶液が酸性となり、二酸化塩素を発生する場合があるため、注意が必要である。
【００３０】
また、還元剤の添加量は、亜塩素酸塩溶液中の亜塩素酸塩に対する還元剤の質量比が１×１０-5以上１×１０-2以下であることが好ましく、１×１０-4以上５×１０-3以下であることがより好ましく、３×１０-4以上３×１０-3以下であることがさらに好ましい。亜塩素酸塩に対する還元剤の質量比が、１×１０-5より低いと亜塩素酸塩溶液における二酸化塩素の遊離を抑制する還元剤の作用効果が低減し、１×１０-2より高いと酸を反応して二酸化塩素を発生する亜塩素酸塩の作用効果が低減する。
【００３１】
（実施形態２）
図１を参照して、本発明にかかる安定化亜塩素酸塩溶液の一実施形態は、亜塩素酸塩と還元剤とを含む。上式（８）および（９）を参照して、かかる還元剤により亜塩素酸塩溶液中に遊離した二酸化塩素（ＣｌＯ2）が亜塩素酸イオン（ＣｌＯ2-）に還元されるため、二酸化塩素の遊離が抑制された安定化亜塩素酸塩溶液が得られる。
【００３２】
安定化亜塩素酸塩溶液の溶媒としては、特に制限はないが、安全性が高い観点から、一般的に水が用いられる。使用される水は、重金属を含まない、蒸留水、イオン交換水などの精製水、純水が好ましい。亜塩素酸塩溶液に重金属が混入するとＮａＣｌＯ2の分解反応が発生する。安定化亜塩素酸塩溶液に含まれる亜塩素酸塩は、特に制限はないが、入手が容易な観点から、亜塩素酸ナトリウムが好ましい。また、安定化亜塩素酸塩溶液中の亜塩素酸塩の濃度は、特に制限はないが、０．１質量％以上２６質量％未満が好ましく、１質量％以上２６質量％未満がより好ましい。亜塩素酸塩の濃度が０．１質量％未満であると発生させることができる二酸化塩素の量が少なくなり、２６質量％以上であると毒劇物に該当するため取扱いにおいて厳しい法規制の対象となる。
【００３３】
また、安定化亜塩素酸塩溶液に含まれる還元剤は、特に制限はないが、還元力が高く、また、酸と反応させて二酸化塩素を発生させる際に毒性の高いガスを放出しない観点から、エリソルビン酸、アスコルビン酸およびそれらの塩、過酸化水素ならびにエチレンジアミン四酢酸（ＥＤＴＡ）からなる群から選ばれる１種類を含むことが好ましく、エリソルビン酸、アスコルビン酸およびそれらの塩、過酸化水素ならびにエチレンジアミン四酢酸からなる群から選ばれる１種類以上であることがより好ましい。
【００３４】
たとえば、亜硫酸ナトリウムおよびチオ硫酸ナトリウムは、亜塩素酸塩溶液に酸を添加して二酸化塩素を発生させる際に、ｐＨ４〜５において硫化水素ガスが発生し、ｐＨ２〜３において亜硫酸ガスが発生するため、還元剤としては好ましくない。なお、塩酸ヒドロキシルアミンなどの酸性還元剤は、亜塩素酸塩溶液に添加すると溶液が酸性となり、二酸化塩素を発生する場合があるため、注意が必要である。
【００３５】
また、還元剤の添加量は、亜塩素酸塩溶液中の亜塩素酸塩に対する還元剤の質量比が１×１０-5以上１×１０-2以下であることが好ましく、１×１０-4以上５×１０-3以下であることがより好ましく、３×１０-4以上３×１０-3以下であることがさらに好ましい。亜塩素酸塩に対する還元剤の質量比が、１×１０-5より低いと亜塩素酸塩溶液における二酸化塩素の遊離を抑制する還元剤の作用効果が低減し、１×１０-2より高いと酸を反応して二酸化塩素を発生する亜塩素酸塩の作用効果が低減する。
【００３６】
（実施形態３）
図１を参照して、本発明にかかる二酸化塩素の発生方法の一実施形態は、実施形態２の安定化亜塩素酸塩溶液を準備する工程（図１において、この工程は、実施形態１の亜塩素酸塩水溶液を安定化する工程Ｓ２と同じである）と、安定化亜塩素酸塩溶液に酸を添加することにより二酸化塩素を発生させる工程Ｓ３と、を備える。
【００３７】
本実施形態の二酸化塩素の発生方法は、まず実施形態２の安定化亜塩素酸塩溶液を準備する工程を含む。かかる安定化亜塩素酸塩溶液を準備する工程は、実施形態１の亜塩素酸塩溶液を安定化する工程Ｓ２と同じであり、実施形態１において説明したとおりである。
【００３８】
本実施形態の二酸化塩素の発生方法は、次いで安定化亜塩素酸塩溶液に酸を添加することにより二酸化塩素を発生させる工程Ｓ３を備える。かかる工程により、一般家庭、病院などの室内において、使用の際に必要に応じて効率的に二酸化塩素を発生させて室内に放出することができる。こうして発生し室内に放出された二酸化塩素により、室内の有害化化学物質の分解除去および／または室内の病原体の殺菌を行なうことができる。
【００３９】
二酸化塩素を発生させる工程Ｓ３において、安定化亜塩素酸塩溶液に添加される酸は、二酸化塩素の発生を阻害せずかつ有害な副反応を起こさない限り特に制限はなく、硫酸、塩酸などの無機酸、クエン酸、リンゴ酸、乳酸などの有機酸が好ましく用いられる。上水あるいはプールなどに添加する二酸化塩素はＣｌＯ2-濃度の規制があり、有機酸を用いることができないが、本実施形態の二酸化塩素ガスの発生方法においては、発生するのは二酸化塩素ガスのみであるため、安定化塩素酸塩に添加される酸として有機酸を用いても問題はない。また、酸の添加量は、特に制限はないが、二酸化塩素の発生量を高める観点から、安定化亜塩素酸塩溶液中の亜塩素酸塩の含有量に対して化学量論的に必要な量以上であることが好ましい。
【００４０】
また、亜塩素酸塩溶液に添加する酸の形態は、粒状などの有機酸などのように固体状の酸であってもよいが、有機酸亜塩素酸塩溶液中の亜塩素酸塩との反応を高める観点から酸溶液が好ましく、さらに安全性が高い観点から酸水溶液がより好ましい。
【００４１】
（実施形態４）
図１を参照して、本発明にかかる二酸化塩素の除去方法の一実施形態は、実施形態３の発生方法により発生させた二酸化塩素に還元剤を接触させることにより二酸化塩素を除去する工程Ｓ４を備える。上式（９）を参照して、かかる二酸化塩素を除去する工程により、発生させた二酸化塩素が還元剤により亜塩素酸イオンに還元されることにより除去される。こうして、室内の有害化化学物質の分解除去および／または室内の病原体の殺菌に使用された後に残存する二酸化塩素を除去することにより、残存する二酸化塩素の刺激臭を除去することができる。
【００４２】
二酸化塩素を除去する工程Ｓ４において二酸化塩素に接触させる還元剤は、特に制限はないが、還元力が高く、また、酸と反応させて二酸化塩素を発生させる際に毒性の高いガスを放出しない観点から、エリソルビン酸、アスコルビン酸およびそれらの塩、過酸化水素ならびにエチレンジアミン四酢酸（ＥＤＴＡ）からなる群から選ばれる１種類を含むことが好ましく、エリソルビン酸、アスコルビン酸およびそれらの塩、過酸化水素ならびにエチレンジアミン四酢酸からなる群から選ばれる１種類以上であることがより好ましい。
【００４３】
たとえば、亜硫酸ナトリウムおよびチオ硫酸ナトリウムは、亜塩素酸塩溶液に酸を添加して二酸化塩素を発生させる際に、ｐＨ４〜５において硫化水素ガスが発生し、ｐＨ２〜３において亜硫酸ガスが発生するため、還元剤としては好ましくない。なお、塩酸ヒドロキシルアミンなどの酸性還元剤は、亜塩素酸塩溶液に添加すると溶液が酸性となり、二酸化塩素を発生する場合があるため、注意が必要である。また、還元剤の添加量は、特に制限はないが、二酸化塩素の除去量を高める観点から、発生させた二酸化塩素の残存量に対して化学量論的に必要な量以上であることが好ましい。
【００４４】
また、二酸化塩素に接触させる還元剤の形態は、発生させた二酸化塩素との反応性が高い観点から還元剤溶液が好ましく、さらに安全性が高い観点から還元剤水溶液がより好ましい。
【実施例】
【００４５】
（実施例１）
１．安定化亜塩素酸塩溶液の調製
容量１００ｍｌ用ポリエチレン製容器に、ｐＨが１０．６の８．１質量％の亜塩素酸ナトリウム水溶液（亜塩素酸塩溶液）を１００ｍｌ収容した。次いで、この亜塩素酸ナトリウム水溶液に、還元剤として３質量％の過酸化水素（Ｈ2Ｏ2）水溶液を０．３３４ｍｌ（すなわち亜塩素酸ナトリウム水溶液中のＨ2Ｏ2濃度が０．０１質量％となるように）添加して、安定化亜塩素酸ナトリウム水溶液Ａを得た。次いで、上記ポリエチレン製容器に、ポリプロピレン製中蓋をした後、ポリエチレン製キャップを閉めてポリエチレン製容器を密封した。
２．安定性評価試験
上記の密封したポリエチレン製容器を、２０℃〜２５℃の恒温槽内で６ヶ月間静置した。上記静置後のポリエチレン製容器およびポリプロピレン製中蓋は、腐食されていなかった。また上記静置後の安定化亜塩素酸ナトリウム水溶液Ａの亜塩素酸ナトリウムの濃度は、ヨウ化カリウムおよびチオ硫酸ナトリウムを用いた滴定分析法により測定したところ、８．０質量％と、初期濃度に比べて低減が極めて小さかった。結果を表１にまとめた。
【００４６】
ここで、亜塩素酸ナトリウム水溶液の亜塩素酸イオンの濃度は、亜塩素酸ナトリウム水溶液を酸性および弱アルカリ性においてヨウ化カリウムおよびチオ硫酸ナトリウムを用いて滴定することにより、以下に示すように算出される。
【００４７】
亜塩素酸ナトリウム水溶液は、リン酸水素ナトリウムなどでｐＨが８〜１０程度の弱アルカリ性とすると、亜塩素酸イオン（ＣｌＯ2-）および遊離した二酸化塩素（ＣｌＯ2）がいずれも安定に存在する。このうち、遊離した二酸化塩素は、弱アルカリ性において、ヨウ化カリウムと次式（１０）
２ＣｌＯ2  ＋  ２ＫＩ  →  ２ＫＣｌＯ2  ＋  Ｉ2  ・・・（１０）
に示すように反応して遊離ヨウ素Ｉ2を生成する。また、亜塩素酸ナトリウム水溶液は、塩酸、硫酸などでｐＨが３以下程度の酸性とすると、弱アルカリ性において安定に存在していた遊離二酸化塩素（ＣｌＯ2）に加えて、弱アルカリ性において安定に存在していた亜塩素酸イオン（ＣｌＯ2-）が二酸化塩素（ＣｌＯ2）として遊離する。ここで、遊離した全ての二酸化塩素は、酸性において、ヨウ化カリウムと次式（１１）
２ＣｌＯ2  ＋  １０ＫＩ  ＋  ８ＨＣｌ  →  １０ＫＣｌ  ＋  ４Ｈ2Ｏ  ＋  ５Ｉ2  ・・・（１１）
に示すように反応して遊離ヨウ素Ｉ2を生成する。上記の式（１０）または式（１１）で生成した遊離ヨウ素Ｉ2は、チオ硫酸ナトリウム（Ｎａ2Ｓ2Ｏ3）と次式（１２）
Ｉ2  ＋  ２Ｎａ2Ｓ2Ｏ3  →  Ｎａ2Ｓ4Ｏ6  ＋  ２ＮａＩ  ・・・（１２）
に示すように反応する。
【００４８】
したがって、酸性において亜塩素酸ナトリウム水溶液をヨウ化カリウムおよびチオ硫酸ナトリウムを用いて滴定をすることにより、式（１１）および式（１２）を用いて、亜塩素酸ナトリウム水溶液の酸性における遊離二酸化塩素の濃度（この濃度は、亜塩素酸ナトリウム水溶液における遊離二酸化塩素および亜塩素酸イオンの合計濃度に相当する）を算出できる。また、弱アルカリ性において亜塩素酸ナトリウム水溶液をヨウ化カリウムおよびチオ硫酸ナトリウムを用いて滴定をすることにより、式（１０）および式（１２）を用いて、亜塩素酸ナトリウム水溶液の弱アルカリ性における遊離二酸化塩素の濃度（この濃度は、亜塩素酸ナトリウム水溶液における遊離二酸化塩素の濃度に相当する）を算出できる。したがって、亜塩素酸ナトリウム水溶液の酸性における遊離二酸化塩素の濃度と弱アルカリ性における遊離二酸化塩素の濃度の差が、亜塩素酸ナトリウム水溶液の亜塩素酸イオンの濃度として算出される。
【００４９】
（実施例２）
還元剤としてエリソルビン酸ナトリウム（エリソルビン酸Ｎａ）を０．０１ｇ（すなわち亜塩素酸ナトリウム水溶液中のエリソルビン酸ナトリウム濃度が０．０１質量％となるように）添加したこと以外は実施例１と同様にして、ポリエチレン製容器内で安定化亜塩素酸ナトリウム水溶液Ｂを調製した。次に、実施例１と同様にして、安定化亜塩素酸ナトリウム水溶液Ｂを密封して２０℃〜２５℃の恒温槽内で６ヶ月間静置した。上記静置後のポリエチレン製容器およびポリプロピレン製中蓋は、腐食されていなかった。また上記静置後の安定化亜塩素酸ナトリウム水溶液Ｂの亜塩素酸ナトリウムの濃度は、８．０質量％と、初期濃度に比べて低減が極めて小さかった。結果を表１にまとめた。
【００５０】
（実施例３）
還元剤としてＬ−アスコルビン酸を０．０１ｇ（すなわち亜塩素酸ナトリウム水溶液中のＬ−アスコルビン酸濃度が０．０１質量％となるように）添加したこと以外は実施例１と同様にして、ポリエチレン製容器内で安定化亜塩素酸ナトリウム水溶液Ｃを調製した。次に、実施例１と同様にして、安定化亜塩素酸ナトリウム水溶液Ｃを密封して２０℃〜２５℃の恒温槽内で６ヶ月間静置した。上記静置後のポリエチレン製容器およびプロピレン製中蓋は、腐食されていなかった。また上記静置後の安定化亜塩素酸ナトリウム水溶液Ｃの亜塩素酸ナトリウムの濃度は、８．０質量％と、初期濃度に比べて低減が極めて小さかった。結果を表１にまとめた。
【００５１】
（実施例４）
還元剤としてＥＤＴＡ（エチレンジアミン四酢酸）を０．０１ｇ（すなわち亜塩素酸塩溶液中のＥＤＴＡ濃度が０．０１質量％となるように）添加したこと以外は実施例１と同様にして、ポリエチレン製容器内で安定化亜塩素酸ナトリウム水溶液Ｄを調製した。次に、実施例１と同様にして、安定化亜塩素酸ナトリウム水溶液Ｄを密封して２０℃〜２５℃の恒温槽内で６ヶ月間静置した。上記静置後のポリエチレン製容器およびプロピレン製中蓋は、腐食されていなかった。また上記静置後の安定化亜塩素酸ナトリウム水溶液Ｄの亜塩素酸ナトリウムの濃度は、８．０質量％と、初期濃度に比べて低減が極めて小さかった。結果を表１にまとめた。
【００５２】
（比較例１）
容量１００ｍｌ用ポリエチレン製容器に、ｐＨが１０．６の８．１質量％の亜塩素酸ナトリウム水溶液（亜塩素酸塩溶液）を１００ｍｌ収容した。この亜塩素酸ナトリウム水溶液に還元剤を添加することなく、上記ポリエチレン製容器に、ポリプロピレン製中蓋をした後、ポリエチレン製キャップを閉めてポリエチレン製容器を密封した。次に、実施例１と同様にして、亜塩素酸ナトリウム水溶液を密封して２０℃〜２５℃の恒温槽内で６ヶ月間静置した。上記静置後のポリエチレン製容器およびポリプロピレン製中蓋は、腐食されており手で押さえると破砕した。また上記静置後の亜塩素酸ナトリウム水溶液の亜塩素酸ナトリウムの濃度は、５．８質量％と、初期濃度に比べて低減した。結果を表１にまとめた。
【００５３】
【表１】
2010077004.tif 000003
【００５４】
表１を参照して、比較例１と実施例１〜４とを対比すると、亜塩素酸ナトリウム水溶液（亜塩素酸塩溶液）は、還元剤として過酸化水素（Ｈ2Ｏ2）、エリソルビン酸ナトリウム（エリソルビン酸Ｎａ）、Ｌ−アスコルビン酸またはＥＤＴＡを添加することにより、２０℃〜２５℃で６ヶ月間静置しても、亜塩素酸塩の濃度（亜塩素酸イオンの濃度）の低減が極めて小さい安定化亜塩素酸ナトリウム水溶液（安定化亜塩素酸塩溶液）が得られることがわかった。
【００５５】
（実施例５Ａ）
容量５０ｍｌ用ガラス製容器に、ｐＨが１０．６の１６．２１質量％の亜塩素酸ナトリウム水溶液（亜塩素酸塩溶液）を５０ｍｌ収容した。次いで、ガラス容器の亜塩素酸ナトリウム水溶液に、還元剤として３質量％の過酸化水素（Ｈ2Ｏ2）水溶液を０．０８３５ｍｌ（すなわち亜塩素酸ナトリウム水溶液中のＨ2Ｏ2濃度が０．００５質量％となるように）添加して、安定化亜塩素酸ナトリウム水溶液Ｅを得た。次いで、上記ポリエチレン製容器に、ポリプロピレン製中蓋をした後、ポリエチレン製キャップを閉めてポリエチレン製容器を密封した。この密封したガラス製容器を、４５℃〜５０℃の恒温槽内で２ヶ月間静置した。上記静置後の容器において、ポリエチレン製ネジ蓋キャップおよびポリウレタン製パッキンに異常は認められなかった。上記静置後の密封した容器内の安定化亜塩素酸ナトリウム水溶液Ｅの亜塩素酸ナトリウムの濃度は、１５．８０質量％と、初期濃度に比べて低減が小さかった。結果を表２にまとめた。
【００５６】
（実施例５Ｂ）
ガラス容器の亜塩素酸ナトリウム水溶液に、還元剤として３質量％の過酸化水素（Ｈ2Ｏ2）水溶液を０．５０５ｍｌ（すなわち亜塩素酸ナトリウム水溶液中のＨ2Ｏ2濃度が０．０３質量％となるように）添加したこと以外は、実施例５Ａと同様にして、ガラス製容器内で安定化亜塩素酸ナトリウム水溶液Ｆを調製した。次に、実施例５Ａと同様にして、安定化亜塩素酸ナトリウム水溶液Ｆを密封して４５℃〜５０℃の恒温槽内で６ヶ月間静置した。上記静置後の容器において、ポリエチレン製ネジ蓋キャップおよびポリウレタン製パッキンに異常は認められなかった。上記静置後の密封した容器内の安定化亜塩素酸ナトリウム水溶液Ｆの亜塩素酸ナトリウムの濃度は、１６．１８質量％と、初期濃度に比べて低減が極めて小さかった。結果を表２にまとめた。
【００５７】
（実施例６Ａ）
ガラス容器の亜塩素酸ナトリウム水溶液に、還元剤としてエリソルビン酸ナトリウム（エリソルビン酸Ｎａ）を０．００５ｇ（すなわち亜塩素酸ナトリウム水溶液中のエリソルビン酸ナトリウム濃度が０．０１質量％となるように）添加したこと以外は、実施例５Ａと同様にして、ガラス製容器内で安定化亜塩素酸ナトリウム水溶液Ｇを調製した。次に、実施例５Ａと同様にして、安定化亜塩素酸ナトリウム水溶液Ｇを密封して４５℃〜５０℃の恒温槽内で６ヶ月間静置した。上記静置後の容器において、ポリエチレン製ネジ蓋キャップおよびポリウレタン製パッキンに異常は認められなかった。上記静置後の密封した容器内の安定化亜塩素酸ナトリウム水溶液Ｇの亜塩素酸ナトリウムの濃度は、１４．３０質量％と、初期濃度に比べて低減が小さかった。結果を表２にまとめた。
【００５８】
（実施例６Ｂ）
ガラス容器の亜塩素酸ナトリウム水溶液に、還元剤としてエリソルビン酸ナトリウムを０．１５ｇ（すなわち亜塩素酸ナトリウム水溶液中のエリソルビン酸ナトリウム濃度が０．０３質量％となるように）添加したこと以外は、実施例５Ａと同様にして、ガラス製容器内で安定化亜塩素酸ナトリウム水溶液Ｈを調製した。次に、実施例５Ａと同様にして、安定化亜塩素酸ナトリウム水溶液Ｈを密封して４５℃〜５０℃の恒温槽内で６ヶ月間静置した。上記静置後の容器において、ポリエチレン製ネジ蓋キャップおよびポリウレタン製パッキンに異常は認められなかった。上記静置後の密封した容器内の安定化亜塩素酸ナトリウム水溶液Ｈの亜塩素酸ナトリウムの濃度は、１５．２０質量％と、初期濃度に比べて低減が小さかった。結果を表２にまとめた。
【００５９】
（実施例７Ａ）
ガラス容器の亜塩素酸ナトリウム水溶液に、還元剤としてＬ−アスコルビン酸を０．０５ｇ（すなわち亜塩素酸ナトリウム水溶液中のＬ−アスコルビン酸濃度が０．０１質量％となるように）添加したこと以外は、実施例５Ａと同様にして、ガラス製容器内で安定化亜塩素酸ナトリウム水溶液Ｉを調製した。次に、実施例５Ａと同様にして、安定化亜塩素酸ナトリウム水溶液Ｉを密封して４５℃〜５０℃の恒温槽内で６ヶ月間静置した。上記静置後の容器において、ポリエチレン製ネジ蓋キャップおよびポリウレタン製パッキンに異常は認められなかった。上記静置後の密封した容器内の安定化亜塩素酸ナトリウム水溶液Ｉの亜塩素酸ナトリウムの濃度は、１５．８０質量％と、初期濃度に比べて低減が小さかった。結果を表２にまとめた。
【００６０】
（実施例７Ｂ）
ガラス容器の亜塩素酸ナトリウム水溶液に、還元剤としてＬ−アスコルビン酸を０．１５ｇ（すなわち亜塩素酸ナトリウム水溶液中のＬ−アスコルビン酸濃度が０．０３質量％ｐｐｍとなるように）添加したこと以外は、実施例５Ａと同様にして、ガラス製容器内で安定化亜塩素酸ナトリウム水溶液Ｊを調製した。次に、実施例５Ａと同様にして、安定化亜塩素酸ナトリウム水溶液Ｊを密封して４５℃〜５０℃の恒温槽内で６ヶ月間静置した。上記静置後の容器において、ポリエチレン製ネジ蓋キャップおよびポリウレタン製パッキンに異常は認められなかった。上記静置後の密封した容器内の安定化亜塩素酸ナトリウム水溶液Ｊの亜塩素酸ナトリウムの濃度は、１６．１０質量％と、初期濃度に比べて低減が極めて小さかった。結果を表２にまとめた。
【００６１】
（実施例８Ａ）
ガラス容器の亜塩素酸ナトリウム水溶液に、還元剤としてＥＤＴＡ（エチレンジアミン四酢酸）を０．００２５ｇ（すなわち亜塩素酸ナトリウム水溶液中のＥＤＴＡ濃度が０．００５質量％となるように）添加したこと以外は、実施例５Ａと同様にして、ガラス製容器内で安定化亜塩素酸ナトリウム水溶液Ｋを調製した。次に、実施例５Ａと同様にして、安定化亜塩素酸ナトリウム水溶液Ｋを密封して４５℃〜５０℃の恒温槽内で６ヶ月間静置した。上記静置後の容器において、ポリエチレン製ネジ蓋キャップおよびポリウレタン製パッキンに異常は認められなかった。上記静置後の密封した容器内の安定化亜塩素酸ナトリウム水溶液Ｋの亜塩素酸ナトリウムの濃度は、１５．７０質量％と、初期濃度に比べて低減が小さかった。結果を表２にまとめた。
【００６２】
（実施例８Ｂ）
ガラス容器の亜塩素酸ナトリウム水溶液に、還元剤としてＥＤＴＡを０．１５ｇ（すなわち亜塩素酸ナトリウム水溶液中のＥＤＴＡ濃度が０．０３質量％となるように）添加したこと以外は、実施例５Ａと同様にして、ガラス製容器内で安定化亜塩素酸ナトリウム水溶液Ｌを調製した。次に、実施例５Ａと同様にして、安定化亜塩素酸ナトリウム水溶液Ｌを密封して４５℃〜５０℃の恒温槽内で６ヶ月間静置した。上記静置後の容器において、ポリエチレン製ネジ蓋キャップおよびポリウレタン製パッキンに異常は認められなかった。上記静置後の密封した容器内の安定化亜塩素酸ナトリウム水溶液Ｌの亜塩素酸ナトリウムの濃度は、１６．２０質量％と、初期濃度に比べて低減が極めて小さかった。結果を表２にまとめた。
【００６３】
（比較例２）
１６．２１質量％の亜塩素酸ナトリウム水溶液５０ｍｌを、ポリエチレン製ネジ蓋キャップおよびポリウレタン製パッキン付の容量５０ｍｌ用ガラス製容器に収容してキャップを閉めて密封した。この密封したガラス製容器を、４５℃〜５０℃の恒温槽内で２ヶ月間静置した。上記静置後の容器において、ポリウレタン製パッキンに二酸化塩素ガスの透過が認められ、ポリエチレン製ネジ蓋キャップに割れが認められた。上記静置後の密封した容器内の亜塩素酸ナトリウム水溶液の亜塩素酸ナトリウムの濃度は、８．５０質量％と、初期濃度に比べて大きく低減した。結果を表２にまとめた。
【００６４】
【表２】
2010077004.tif 000004
【００６５】
表２を参照して、比較例２と実施例５Ａ、５Ｂ、６Ａ、６Ｂ、７Ａ、７Ｂ、８Ａおよび８Ｂとを対比すると、亜塩素酸ナトリウム水溶液（亜塩素酸塩溶液）は、還元剤として過酸化水素（Ｈ2Ｏ2）、エリソルビン酸ナトリウム（エリソルビン酸Ｎａ）、Ｌ−アスコルビン酸またはＥＤＴＡを添加することにより、４５℃〜５０℃で２ヶ月間静置しても、亜塩素酸塩の濃度（亜塩素酸イオンの濃度）の低減が極めて小さい安定化亜塩素酸ナトリウム水溶液（安定化亜塩素酸塩溶液）が得られることがわかった。
【００６６】
（実施例９Ａ）
容量５００ｍｌ用ポリエチレン製容器に、２５．４０質量％の亜塩素酸ナトリウム水溶液を５００ｍｌ収容し、還元剤としてＥＤＴＡ（エチレンジアミン四酢酸）を０．０５ｇ（すなわち亜塩素酸ナトリウム水溶液中のＥＤＴＡ濃度が０．０１質量％となるように）添加して、安定化亜塩素酸ナトリウム水溶液Ｍを調製した後、ポリエチレン製キャップで閉めてポリエチレン製容器を密封した。密封したポリエチレン製容器を、３０℃の恒温槽内で静置した。静置してから１ヵ月後、２ヶ月および３ヶ月後の安定化亜塩素酸ナトリウム水溶液Ｍの亜塩素酸ナトリウムの濃度は、それぞれ２５．２０質量％、２５．２０質量％および２５．０２質量％と、初期濃度に比べて低減が極めて小さかった。結果を表３にまとめた。
【００６７】
（実施例９Ｂ）
２５．４０質量％の亜塩素酸ナトリウム水溶液５００ｍｌに、還元剤としてＥＤＴＡを０．０１ｇ（すなわち亜塩素酸ナトリウム水溶液中のＥＤＴＡ濃度が０．００２質量％となるように）添加して、安定化亜塩素酸ナトリウム水溶液Ｎを調製したこと以外は、実施例９Ａと同様にして、安定化亜塩素酸ナトリウム水溶液Ｎを収容したポリエチレン製容器を密封し、密封したポリエチレン製容器を、３０℃の恒温槽内で静置した。静置してから１ヵ月後の安定化亜塩素酸ナトリウム水溶液Ｎの亜塩素酸ナトリウムの濃度は、１９．６６質量％と、初期濃度に比べて低減が小さかった。結果を表３にまとめた。
【００６８】
（実施例９Ｃ）
２５．４０質量％の亜塩素酸ナトリウム水溶液５００ｍｌに、還元剤としてＥＤＴＡを０．００２５ｇ（すなわち亜塩素酸ナトリウム水溶液中のＥＤＴＡ濃度が０．０００５質量％となるように）添加して、安定化亜塩素酸ナトリウム水溶液Ｏを調製したこと以外は、実施例９Ａと同様にして、安定化亜塩素酸ナトリウム水溶液Ｏを収容したポリエチレン製容器を密封し、密封したポリエチレン製容器を、３０℃の恒温槽内で静置した。静置してから１ヵ月後の安定化亜塩素酸ナトリウム水溶液Ｏの亜塩素酸ナトリウムの濃度は、１９．４３質量％と、初期濃度に比べて低減が小さかった。結果を表３にまとめた。
【００６９】
【表３】
2010077004.tif 000005
【００７０】
表３を参照して、実施例９Ａから、亜塩素酸ナトリウム水溶液（亜塩素酸塩溶液）は、還元剤としてＥＤＴＡ（エチレンジアミン四酢酸）を添加することにより、３０℃で１〜３ヶ月間静置しても、亜塩素酸塩の濃度（亜塩素酸イオンの濃度）の低減が極めて小さい安定化亜塩素酸ナトリウム水溶液（安定化亜塩素酸塩溶液）が得られることがわかった。また、実施例９Ａ〜９Ｃを対比すると、亜塩素酸ナトリウム（亜塩素酸塩）に対するＥＤＴＡ（還元剤）のモル比が大きくなるほど、亜塩素酸ナトリウムの濃度の初期濃度に対する低減が小さくなり、亜塩素酸ナトリウム水溶液（亜塩素酸塩溶液）が安定化されていることがわかった。
【００７１】
（実施例１０）
中古乗用車のエアコンの黴臭およびタバコ臭が強い室内（室内長さ２．０７ｍ×室内幅１．５３ｍ×室内高さ１．２０ｍで室内容積が約３．８ｍ3）の後部座席のセンターシート上に、内径８．６ｃｍ×深さ６ｃｍで内容積が約３５０ｍｌのガラス製の二酸化塩素発生容器を配置した。この二酸化塩素発生容器に、実施例１で得られた２０℃〜２５℃で６ヶ月間静置後の安定化亜塩素酸ナトリウム水溶液Ａを１０ｍｌ入れ、さらに、１０質量％のクエン酸水溶液を１０ｍｌを入れて、二酸化塩素発生容器を左右に振ることより、二酸化塩素（ＣｌＯ2）を発生させた。乗用車の密閉された室内でエアコンの風量を最大にして２０分間経過した後、室内の二酸化塩素の濃度は、北川式検知管を用いて測定したところ、３．０ｐｐｍであった。その直後に、後部座席左右の扉を開いて、二酸化塩素発生容器に蓋をして室外に取り出した。残存した二酸化塩素の臭いを除去するために、還元剤としてＬ−アスコルビン酸４．０ｇを１０００ｍｌの純水に溶かした溶液を、手動式の霧吹きを用いて、室内に４回（約３〜４ｍｌ）散布した。還元剤の散布から３０秒後の室内には、悪臭および二酸化塩素臭はいずれもなく、室内の二酸化塩素の濃度を北川式検知管を用いて測定したところ、二酸化塩素は検出されなかった。
【００７２】
（実施例１１）
安定化亜塩素酸ナトリウム水溶液として実施例２で得られた２０℃〜２５℃で６ヶ月間静置後の安定化亜塩素酸ナトリウム水溶液Ｂを用いたこと以外は、実施例１０と同様にして、二酸化塩素を発生させた。２０分経過後の室内の二酸化塩素の濃度は３．０ｐｐｍであった。残存する二酸化塩素の臭いを除去するための還元剤としてエリソルビン酸ナトリウム５．０ｇを１０００ｍｌの純水に溶かした溶液を４回（約３〜４ｍｌ）散布したこと以外は、実施例１０と同様にして還元剤を散布した。還元剤の散布から３０秒後の室内には、悪臭および二酸化塩素臭はいずれもなく、二酸化塩素は検出されなかった。
【００７３】
（実施例１２）
安定化亜塩素酸ナトリウム水溶液として実施例３で得られた２０℃〜２５℃で６ヶ月間静置後の安定化亜塩素酸ナトリウム水溶液Ｃを用いたこと以外は、実施例１０と同様にして、二酸化塩素を発生させた。２０分経過後の室内の二酸化塩素の濃度は３．０ｐｐｍであった。残存する二酸化塩素の臭いを除去するための還元剤としてエリソルビン酸ナトリウム５．０ｇを１０００ｍｌの純水に溶かした溶液を４回（約３〜４ｍｌ）散布したこと以外は、実施例１０と同様にして還元剤を散布した。還元剤の散布から３０秒後の室内には、悪臭および二酸化塩素臭はいずれもなく、二酸化塩素は検出されなかった。
【００７４】
（実施例１３）
安定化亜塩素酸ナトリウム水溶液として実施例４で得られた２０℃〜２５℃で６ヶ月間静置後の安定化亜塩素酸ナトリウム水溶液Ｄを用いたこと以外は、実施例１０と同様にして、二酸化塩素を発生させた。２０分経過後の室内の二酸化塩素の濃度は３．２ｐｐｍであった。残存する二酸化塩素の臭いを除去するための還元剤としてエリソルビン酸ナトリウム５．０ｇを１０００ｍｌの純水に溶かした溶液を４回（約３〜４ｍｌ）散布したこと以外は、実施例１０と同様にして還元剤を散布した。還元剤の散布から３０秒後の室内には、悪臭および二酸化塩素臭はいずれもなく、二酸化塩素は検出されなかった。
【００７５】
（比較例３）
亜塩素酸ナトリウム水溶液として比較例１で得られた２０℃〜２５℃で６ヶ月間静置後の亜塩素酸ナトリウム水溶液を用いたこと以外は、実施例１０と同様にして、二酸化塩素を発生させた。２０分経過後の室内の二酸化塩素の濃度は１．５ｐｐｍであった。残存する二酸化塩素の臭いを除去するための還元剤としてエリソルビン酸ナトリウム５．０ｇを１０００ｍｌの純水に溶かした溶液を４回（約３〜４ｍｌ）散布したこと以外は、実施例１０と同様にして還元剤を散布した。還元剤の散布から３０秒後の室内には、悪臭および二酸化塩素臭はいずれもなく、二酸化塩素は検出されなかった。
【００７６】
（参考例１）
亜塩素酸ナトリウム水溶液として８．０質量％の新品の亜塩素酸ナトリウム水溶液を用いたこと以外は、実施例１０と同様にして、二酸化塩素を発生させた。２０分経過後の室内の二酸化塩素の濃度は３．０ｐｐｍであった。残存する二酸化塩素の臭いを除去するための還元剤としてエリソルビン酸ナトリウム５．０ｇを１０００ｍｌの純水に溶かした溶液を４回（約３〜４ｍｌ）散布したこと以外は、実施例１０と同様にして還元剤を散布した。還元剤の散布から３０秒後の室内には、悪臭および二酸化塩素臭はいずれもなく、二酸化塩素は検出されなかった。
【００７７】
上記の実施例１０〜１３、比較例３および参考例１を対比すると、２０℃〜２５℃で６ヶ月間静置後に酸と反応させると、亜塩素酸ナトリウム水溶液（亜塩素酸塩溶液）は、還元剤として過酸化水素（Ｈ2Ｏ2）、エリソルビン酸ナトリウム（エリソルビン酸Ｎａ）、Ｌ−アスコルビン酸またはＥＤＴＡが添加された安定化亜塩素酸ナトリウム水溶液は、還元剤が添加されなかった亜塩素酸水溶液に比べて多くの二酸化塩素を発生し、新品の亜塩素酸ナトリウム水溶液と同等の二酸化塩素を発生することがわかった。また、いずれの場合においても、残留した二酸化塩素に、Ｌ−アスコルビン酸、エリソルビン酸ナトリウムなどの還元剤を添加することによって、二酸化塩素を除去できることがわかった。
【００７８】
（実施例１４）
家屋のエアコンの黴臭およびタバコ臭が強い室内（室内長さ３．４５ｍ×室内幅２．５８ｍ×室内高さ２．５０ｍで室内容積が約２２ｍ3）の床の中央に、内径８．６ｃｍ×深さ６ｃｍで内容積が約３５０ｍｌのガラス製の二酸化塩素発生容器を配置した。この二酸化塩素発生容器に、実施例５Ｂで得られた４５℃〜５０℃で２ヶ月間静置後の安定化亜塩素酸ナトリウム水溶液Ｆを１０ｍｌ入れ、さらに、２０．５質量％のクエン酸水溶液を１０ｍｌを入れて、二酸化塩素発生容器を左右に振ることより、二酸化塩素（ＣｌＯ2）を発生させた。家屋の密閉された室内でエアコンの風量を最大しさらに扇風機の最大の風量を二酸化塩素発生容器に送って二酸化塩素を室内に拡散させながら３０分間経過した後、室内の二酸化塩素の濃度は、北川式検知管を用いて測定したところ、０．３ｐｐｍであった。その直後に、二酸化塩素発生容器に蓋をして室外に取り出した。残存した二酸化塩素の臭いを除去するために、還元剤としてエリソルビン酸ナトリウム５．０ｇを１０００ｍｌの純水に溶かした溶液を、手動式の霧吹きを用いて、室内に５回（約４〜５ｍｌ）散布した。還元剤の散布から６０秒後の室内には、悪臭および二酸化塩素臭はいずれもなく、室内の二酸化塩素の濃度を北川式検知管を用いて測定したところ、二酸化塩素は検出されなかった。
【００７９】
（実施例１５）
安定化亜塩素酸ナトリウム水溶液として実施例６Ｂで得られた４５℃〜５０℃で２ヶ月間静置後の安定化亜塩素酸ナトリウム水溶液Ｈを用いたこと以外は、実施例１４と同様にして、二酸化塩素を発生させた。３０分経過後の室内の二酸化塩素の濃度は０．３ｐｐｍであった。残存する二酸化塩素の臭いを除去するため、実施例１４と同様にして還元剤（エリソルビン酸ナトリウム）を散布した。還元剤の散布から６０秒後の室内には、悪臭および二酸化塩素臭はいずれもなく、二酸化塩素は検出されなかった。
【００８０】
（実施例１６）
安定化亜塩素酸ナトリウム水溶液として実施例７Ｂで得られた４５℃〜５０℃で２ヶ月間静置後の安定化亜塩素酸ナトリウム水溶液Ｊを用いたこと以外は、実施例１４と同様にして、二酸化塩素を発生させた。３０分経過後の室内の二酸化塩素の濃度は０．３ｐｐｍであった。残存する二酸化塩素の臭いを除去するための還元剤としてＬ−アスコルビン酸４．０ｇを１０００ｍｌの純水に溶かした溶液を５回（約４〜５ｍｌ）散布したこと以外は、実施例１４と同様にして還元剤を散布した。還元剤の散布から６０秒後の室内には、悪臭および二酸化塩素臭はいずれもなく、二酸化塩素は検出されなかった。
【００８１】
（実施例１７）
安定化亜塩素酸ナトリウム水溶液として実施例８Ｂで得られた４５℃〜５０℃で２ヶ月間静置後の安定化亜塩素酸ナトリウム水溶液Ｌを用いたこと以外は、実施例１４と同様にして、二酸化塩素を発生させた。３０分経過後の室内の二酸化塩素の濃度は０．３２ｐｐｍであった。残存する二酸化塩素の臭いを除去するため、実施例１４と同様にして還元剤（エリソルビン酸ナトリウム）を散布した。還元剤の散布から６０秒後の室内には、悪臭および二酸化塩素臭はいずれもなく、二酸化塩素は検出されなかった。
【００８２】
（比較例４）
亜塩素酸ナトリウム水溶液として比較例２で得られた４５℃〜５０℃で２ヶ月間静置後の亜塩素酸ナトリウム水溶液を用いたこと以外は、実施例１４と同様にして、二酸化塩素を発生させた。３０分経過後の室内の二酸化塩素の濃度は０．１ｐｐｍであった。残存する二酸化塩素の臭いを除去するため、実施例１４と同様にして還元剤（エリソルビン酸ナトリウム）を散布した。還元剤の散布から６０秒後の室内には、悪臭および二酸化塩素臭はいずれもなく、二酸化塩素は検出されなかった。
【００８３】
（参考例２）
亜塩素酸ナトリウム水溶液として１６．０質量％の新品の亜塩素酸ナトリウム水溶液を用いたこと以外は、実施例１０と同様にして、二酸化塩素を発生させた。３０分経過後の室内の二酸化塩素の濃度は０．３ｐｐｍであった。残存する二酸化塩素の臭いを除去するため、実施例１４と同様にして還元剤（エリソルビン酸ナトリウム）を散布した。還元剤の散布から６０秒後の室内には、悪臭および二酸化塩素臭はいずれもなく、二酸化塩素は検出されなかった。
【００８４】
上記の実施例１４〜１７、比較例４および参考例２を対比すると、４５℃〜５０℃で２ヶ月間静置後に酸と反応させると、亜塩素酸ナトリウム水溶液（亜塩素酸塩溶液）は、還元剤として過酸化水素（Ｈ2Ｏ2）、エリソルビン酸ナトリウム（エリソルビン酸Ｎａ）、Ｌ−アスコルビン酸またはＥＤＴＡが添加された安定化亜塩素酸ナトリウム水溶液は、還元剤が添加されなかった亜塩素酸水溶液に比べて多くの二酸化塩素を発生し、新品の亜塩素酸ナトリウム水溶液と同等の二酸化塩素を発生することがわかった。また、いずれの場合においても、残留した二酸化塩素に、Ｌ−アスコルビン酸、エリソルビン酸ナトリウムなどの還元剤を添加することによって、二酸化塩素を除去できることがわかった。
【００８５】
今回開示された実施の形態および実施例はすべての点で例示であって制限的なものではないと考えられるべきである。本発明の範囲は、上記した説明でなくて特許請求の範囲によって示され、特許請求の範囲と均等の意味および範囲内のすべての変更が含まれることが意図される。
【図面の簡単な説明】
【００８６】
【図１】亜塩素酸塩溶液の安定化方法、安定化亜塩素酸塩溶液、二酸化塩素の発生方法および二酸化塩素の除去方法を示す工程図である。
【符号の説明】
【００８７】
Ｓ１  亜塩素酸塩溶液を準備する工程、Ｓ２  亜塩素酸塩溶液を安定化する工程、Ｓ３  二酸化塩素を発生させる工程、Ｓ４  二酸化塩素を除去する工程。
【図１】
2010077004.tif 000006